(57)【要約】 【課題】  遊技球３４の衝突する位置によって生じる反射する方向のばらつき、および反発力の変化が抑制されているパチンコ遊技機を提供することである。【解決手段】  球止めゴム１１は、円弧とＶ字とを組合わせてなる涙滴形状に形成され、パチンコ機１０の遊技盤１５に設けられている。球止めゴム１１は、Ｖ字の頂線２８ａから延びる一側面部を形成する反射層３３に遊技球３４を衝突させて減勢する。反射層３３の反射面３２の反対側の表面には、その表面に対向するように金属板２９が配設されている。これによって反射層３３が、均一な厚みの層に形成される。【選択図】      図１
2007312858.tif 000002
【特許請求の範囲】
【請求項１】
遊技球が転動する遊技領域を有する遊技盤に、前記遊技領域へ発射された遊技球を衝突させて減勢する球止め部材が設けられているパチンコ遊技機であって、前記球止め部材は、該球止め部材の厚み方向の端面の外形が円弧とＶ字とを組み合わせてなる涙滴形状に形成されているとともに、前記球止め部材は、前記厚み方向に延在する前記Ｖ字の頂線から前記円弧に向かって延びる一側面をゴム層で形成し、該ゴム層に遊技球を衝突させるパチンコ遊技機において、
前記ゴム層は、前記一側面に垂直な方向の厚みが均一に形成され、
前記球止め部材は、前記ゴム層より剛性の高い衝撃遮断部を有し、
前記衝撃遮断部は、前記ゴム層の遊技球が衝突する側の表面と反対側の表面に対向して配設されることを特徴とするパチンコ遊技機。
【請求項２】
前記球止め部材は、該球止め部材を前記遊技盤に固定するための軸状の固定部材を挿通させる固定穴部と、該球止め部材の前記固定部材を回転軸とする回転軸回りの位置を決めるための位置決め部材を嵌合させる位置決め穴部とを有し、
前記衝撃遮断部は、金属板からなって、前記固定穴部および前記位置決め穴部より前記ゴム層側に配設されていることを特徴とする請求項１記載のパチンコ遊技機。
【発明の詳細な説明】
【技術分野】
【０００１】
本発明は、遊技領域へ発射された遊技球を衝突させて減勢する球止め部材が遊技盤に設けられたパチンコ遊技機に関する。
【背景技術】
【０００２】
パチンコ機の遊技盤には、発射装置から発射された遊技球を遊技領域へと案内する外レールが形成されている。遊技領域において外レールの端部の近傍には、外レールによって案内される遊技球を衝突させて減勢させる球止めゴムが配設されている。従来の第１の技術の球止めゴムは、円柱状に形成され、円周面部に遊技球を衝突させて減勢させ、反射させている（たとえば特許文献１参照）。
【０００３】
図７は、パチンコ機１に設けられる従来の第２の技術の球止めゴム３を拡大して示す拡大正面図である。従来の第２の技術の球止めゴム３は、外レール２の端部２ａに設けられ、円弧とＶ字とを組合わせた涙滴形状に形成され、Ｖ字の頂線から延びる一側面部である反射面部４が鉛直方向に配設されている。球止めゴム１は、パチンコ機の遊技板５に形成される固定部材６を挿通させ、位置決めピン７を嵌合させることによって、遊技板５に固定されている。球止めゴム３は、反射面部４に遊技球を衝突させて減勢させ、反射させている。
【０００４】
【特許文献１】特開平９−２８５６３１号公報
【発明の開示】
【発明が解決しようとする課題】
【０００５】
パチンコ機１には、遊技者がパチンコ機に向かって右側に、つまり遊技領域の右側に大入賞口が配設される機種がある。このような機種のパチンコ機１の場合、大入賞口が開くと、遊技者は、強打ち、いわゆる右打ちを行って、遊技領域の右側の領域に狙って遊技球８を発射させる。右打ちされて発射された遊技球８は、外レール２に沿って移動する。遊技球８の勢いが強い場合、発射される遊技球８は、外レール２に沿って移動し球止めゴムに当たって反射され、遊技領域の右側の領域を落下していく。遊技者は、遊技球８を大入賞口に入賞させるために、遊技球８を球止めゴムに当てて遊技領域の右側の領域に落下させることがある。
【０００６】
従来の第１の技術の球止めゴムは、その円周面部に遊技球を衝突させて減勢させ、反射している。遊技球は、円周面部に当たって反射されるので、円周部の当たる位置によって、反射する方向が異なりばらつきがある。これによって遊技者は、遊技球の軌道を予測するのが困難であり、遊技球を狙い通りの位置に打つために発射レバーの微調整を繰返す必要がある。また遊技球が反射する方向にばらつきがあるので、遊技者は大入賞口に入賞する確率を推定することが困難である。
【０００７】
従来の第２の技術の球止めゴム３は、反射面部４に遊技球が当たるように配設され、この反射面部４に遊技球８を衝突させて減勢させ、反射している。反射面部４が鉛直方向に配設されているので、従来の第１の技術の球止めゴムに比べて、遊技球８の反射する方向のばらつきが抑制されている。しかしながら球止めゴム３は、涙滴形状に形成されているので、反射面部４の位置によってゴムの厚みが異なり、これによって反射される遊技球８の反発力が異なる。具体的には、Ｖ字の頂線近傍では、その反発力が小さいけれども、Ｖ字の頂線から離れるに従って反発力が大きくなる。このように反射面部４に遊技球が当たる位置によって反発力が異なるので、遊技球の入射角に起因する反射方向のばらつきが抑制されているけれども、形状に起因する反射方向のばらつきが生じている。またＶ字の頂線から離れるに従ってその厚みが増し、反発力が大きくなることによって、遊技球８の減勢を充分に行うことができない。これによって遊技球８が繰返し反射して、釘９に強い衝撃を繰り返し加えることによって、釘９が疲労破壊する可能性がある。さらに遊技球８が衝突するときに加わる衝撃力が繰返し作用することによって、固定部材７および位置決め部材８が疲労破壊する可能性もある。
【０００８】
本発明の目的は、遊技球の衝突する位置によって生じる反射する方向のばらつき、および反発力の変化が抑制されているパチンコ遊技機を提供することである。
【課題を解決するための手段】
【０００９】
本発明は、遊技球が転動する遊技領域を有する遊技盤に、前記遊技領域へ発射された遊技球を衝突させて減勢する球止め部材が設けられているパチンコ遊技機であって、前記球止め部材は、該球止め部材の厚み方向の端面の外形が円弧とＶ字とを組み合わせてなる涙滴形状に形成されているとともに、前記球止め部材は、前記厚み方向に延在する前記Ｖ字の頂線から前記円弧に向かって延びる一側面をゴム層で形成し、該ゴム層に遊技球を衝突させるパチンコ遊技機において、
前記ゴム層は、前記一側面に垂直な方向の厚みが均一に形成され、
前記球止め部材は、前記ゴム層より剛性の高い衝撃遮断部を有し、
前記衝撃遮断部は、前記ゴム層の遊技球が衝突する側の表面と反対側の表面に対向して配設されることを特徴とするパチンコ遊技機である。
【００１０】
また本発明は、前記球止め部材は、該球止め部材を前記遊技盤に固定するための軸状の固定部材を挿通させる固定穴部と、該球止め部材の前記固定部材を回転軸とする回転軸回りの位置を決めるための位置決め部材を嵌合させる位置決め穴部とを有し、
前記衝撃遮断部は、金属板からなって、前記固定穴部および前記位置決め穴部より前記ゴム層側に配設されていることを特徴とする。
【発明の効果】
【００１１】
本発明によれば、ゴム層は、球止め部材の一側面に垂直な方向の厚みが均一に形成され、ゴム層の遊技球が衝突する表面と反対側の表面に対向するように、ゴム層より剛性の高い衝撃遮断部が設けられている。そのため、遊技球が表面部に衝突することに起因するゴム層の変形は、衝撃遮断部によって抑制される。これに加えて、ゴム層は、前記厚みが均一であるので、ゴム層の反発弾性は一様になる。したがって遊技球に付勢される反発力は、遊技球の衝突する位置に依存しない。これによって遊技球がゴム層に衝突する位置に応じて、遊技球の反射する方向が異なることを抑制でき、球止め部材の形状に起因する遊技球の反射方向のばらつきを抑制することができる。これによってゴム層のどの位置に遊技球が衝突しても、遊技球を安定して反射させることができる。このように安定して遊技球を反射させることができるので、遊技者は、ゴム層によって反射された遊技球の軌道を予想しやすくなり、反射のばらつきに基づく遊技球の発射軌道の微調整を繰返すことを少なくすることができる。
【００１２】
また本発明は、ゴム層が均一な厚みの層によって形成され、ゴム層の遊技球が衝突する表面と反対側の表面に衝撃遮断部が設けられているので、ゴム層の反発弾性は、従来の技術の球止め部材より小さい、つまり反発力が小さい。したがって遊技球を減勢する割合が従来の技術の球止め部材より大きく、球止め部材によって跳ね返された遊技球が遊技領域内の遊技釘に与える衝撃は、従来の技術の球止め部材より小さく、釘の損傷が抑制される。
【００１３】
本発明によれば、軸状の固定部材が挿通される固定穴部および位置決め部材が嵌合される位置決め穴部を有し、固定穴部および位置決め穴部よりゴム層側に金属板から成る衝撃遮断部が配設されている。球止め部材は、軸状の固定部材を固定穴部に挿通することによって遊技盤に固定され、位置決め部材を嵌合することによって、回転方向の位置決めがなされる。遊技球がゴム層に衝突し減勢するとき、遊技球からゴム層に衝撃力が加わる。衝撃遮断部は、この遊技球から受ける衝撃力が固定穴部に挿通されている固定部材および位置決め穴部に嵌合されている位置決め部材に伝達されることを阻止する。これによって遊技球がゴム層に衝突することに起因する固定部材および位置決め部材の損傷を抑制できる。
【発明を実施するための最良の形態】
【００１４】
以下、図面を参照しながら本発明を実施するための形態を、複数の形態について説明する。各形態のうち、先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００１５】
図１は、パチンコ機１０を示す正面図である。図２は、パチンコ機１０に設けられる本発明の実施の第１の形態である球止めゴム１１を図１に示す領域Ｘの範囲で拡大して示す拡大正面図である。図３は、球止めゴム１１およびカバー体１３を示す拡大斜視図である。図４は、球止めゴム１１を示す正面図である。パチンコ遊技機であるパチンコ機１０は、縦長な方形状に枠組みされた外枠１２を有している。外枠１２には、その水平方向一端において開閉可能に軸支された状態で中枠１４が組み付けられている。中枠１４の表側には、遊技盤１５が取り付けられている。また中枠１４の表側には、この遊技盤１５を透視させ保護するためのガラス板を備えたガラス枠１６と、遊技球を保持するための上皿１７を備えた皿板１８とが、中枠１４の水平方向一端部において開閉可能に軸支された状態で組み付けられている。上皿１７の下方には、下皿１９が設けられており、下皿１９の右方には、発射ハンドル２０が突設されている。発射ハンドル２０には、発射レバー２１が回動可能に装着されている。遊技者が発射レバー２１を回動操作することによって、上皿１７に貯留されている遊技球が球送り機構（図示せず）を介して、発射装置（図示せず）に送られ、発射装置によって遊技盤１５に形成される遊技領域２２に向けて発射される。
【００１６】
遊技盤１５は、遊技板１７と、外レール２３と、円弧状のガイドレール２４と、カバー体１３とを備えている。遊技板１７は、その表面部に合成樹脂製のシートが被着されるとともに、円弧状の外レール２３および円弧状のガイドレール２４が固定されている。外レール２３は、ガイドレール２４より大径に形成され、図１の紙面において、下方から左方および上方を通って右上方に至る円弧状に形成されている。外レール２３は、ガイドレール２４と協働して発射装置によって発射される遊技球を遊技領域２２に案内する。カバー体１３は、遊技板１７の表面部に設けられ、その一側面部１３ａが円弧状に形成されている。カバー体１３の一側面部１３ａは、ガイドレール２４とともに円弧状の内レール２５を形成する。外レール２３とガイドレール２４と内レール２５とによって囲まれる領域が遊技領域２２に相当する。
【００１７】
カバー体１３には、発射装置から発射されて外レール２３に案内され、到達する遊技球を減勢する球止めゴム１１が固定されている。カバー体１３は、球止めゴム１１を固定するための円柱状の固定部材２６と球止めゴムを位置決めするための円柱状の位置決め部材２７とが形成されている。
【００１８】
球止め部材である球止めゴム１１は、厚み方向に垂直な仮想平面で切断して見た断面が、円弧とＶ字とを組合わせてなる涙滴形状に形成されている。換言すると、球止めゴム１１の厚み方向の端面の外形が涙滴形状に形成されている。球止めゴム１１は、合成ゴムから成る球止めゴム本体２８と、金属から成る扁平状の金属板２９とを含む。球止めゴム本体２８は、涙滴形状に形成され、たとえばゴム硬度３５（ＪＩＳ  Ｋ６２５３）の制振ゴムによって形成される。ただしこのようなゴム硬度のものに限定されず、天然ゴムまたは合成ゴムからなる制振ゴムであればよい。また制振ゴムは、防振ゴムと呼ばれる場合もある。球止めゴム本体２８の厚み方向一表面部には、固定部材２６が挿通される固定穴部３０が形成され、さらに位置決め部材２７を嵌合する位置決め穴部３１が、固定穴部３０の近傍に形成されている。本実施の形態では、固定穴部３０は、円弧の中心軸Ｌ１まわりに形成され、固定穴部３０から球止めゴム本体２８のＶ字の頂線２８ａ寄りに位置決め穴部３１が形成されている。Ｖ字の頂線２８ａは、球止めゴム本体２８をその厚み方向に垂直な断面で切断して見た複数の断面における各Ｖ字の頂部を結んだ線であり、球止めゴム本体２８の厚み方向に延びる線である。固定穴部３０は、厚み方向に貫通するように形成され、位置決め穴部３１は、厚み方向に凹む凹状に形成されている。球止めゴム本体２８には、扁平状の金属板２９が埋設されている。衝撃遮断部である金属板２９は、球止めゴム本体２８の反射面３２から距離Ｔ１離反し、かつその厚み方向一表面部が反射面３２と平行になるように埋設されている。本実施の形態では、距離Ｔ１が２ｍｍである。ただし距離Ｔ１は、２ｍｍに限定するものではない。反射面３２は、Ｖ字の頂線２８ａから円弧に向かって直線状に延びる２つの側面のうち一方の側面である。このように球止めゴム本体２８に金属板２９を埋設することによって、反射面３２を有し、かつ反射面３２に垂直な方向の厚みが均一な反射層３３が形成される。ゴム層である反射層３３は、金属板２９の長尺方向、図４の紙面において上下方向の一端から他端にわたって形成される部分に相当し、Ｖ字の頂線２８ａから円弧に向かって延びる一側面部を形成している。これらより、金属板２９は、反射層３３の遊技球が衝突する側の表面としての反射面３２と反対側の表面に対向して配設されている。また、金属板２９は、固定穴部３０および位置決め穴部３１より反射面３２側に埋設される。すなわち反射層３３に固定穴部３０および位置決め穴部３１が形成されないように、金属板２９は、球止めゴム本体２８に埋設されている。金属板２９は、その幅が球止めゴム本体２８の厚みと略同じ寸法に形成される。金属板２９の幅とは、具体的には球止めゴム本体２８の厚み方向（図２および図４の紙面に垂直な方向）の長さである。
【００１９】
球止めゴム１１は、固定部材２６を固定穴部３０に挿通することによって遊技盤に固定され、位置決め部材２７を位置決め穴部３１に嵌合させることによって、固定部材２６を回転軸とする回転軸回りの位置決めをしている。このようにして球止めゴム１１は、カバー体１３の一側面部１３ａの上端１３ｂ付近に位置決めされて固定される。嵌合には、緩やかな嵌め合い、および緊密な嵌め合いを含む。これによって球止めゴム１１は、遊技盤１５に固定され、外レール２３の内周面部の近傍に設けられる。外レール２３の内周面部の近傍には、外レール２３の内周面部付近だけでなく、外レール２３の内周面部に当接しているものも含む。本実施の形態では、球止めゴム１１は、外レール２３の端部に当接するように設けられている。このようにして設けられている球止めゴム１１は、遊技盤１５に固定された状態で、反射面３２が遊技領域２２に臨み、かつ反射面３２が鉛直方向に位置するようにカバー体１３に固定される。さらに球止めゴム１１は、カバー体１３から反射層３３の少なくとも一部が露出し、かつ金属板２９がカバー体１３から露出しないようにカバー体１３に配設されている。反射層３３は、遊技盤１５に固定されている状態で、球止めゴム１１の少なくとも遊技球が当たり得る範囲（以下、「衝突範囲」という）に形成されていることが好ましい。衝突範囲とは、具体的には、遊技球３４が外レールと反射面３２とに当接した状態で、遊技球３４と反射面３２との接点から球止めゴム本体２８の円弧の端部までの範囲である。さらに好ましくは、衝突範囲より少し大きい範囲に反射層３３が形成されていることである。つまり金属板２９は、その反射面３２に平行な方向の長さが衝突範囲の長さより大きく形成することが好ましい。
【００２０】
さらに遊技領域２２には、液晶表示器３５、始動入賞装置３６および特別可変入賞装置３７が設けられている。本実施の形態では、遊技領域２２の中央部に液晶表示器３５が配設され、この液晶表示器３５の下方に始動入賞装置３６が配設されている。さらに始動入賞装置３６から図１の紙面に向かって右側に特別可変入賞装置３７が配設されている。さらに遊技領域２２には、多数の遊技釘３８および風車３９が設けられている。
【００２１】
始動入賞装置３６の入賞口に遊技球３４が入る、つまり入賞すると、液晶表示器３５の表示画面において、複数の図柄の変動表示が開始され、それら複数の図柄の変動表示が所定時間行われる。複数の図柄が特定の停止表示態様で停止表示されると、それまで特別可変入賞装置３７の入賞口を塞いでいた扉４０が予め定められた作動条件に従って、開閉作動する。扉４０が開くことによって特別可変入賞装置３７の入賞口が開放されて、特別可変入賞装置３７への遊技球３４の入賞が可能となる。これによって遊技者は、特別可変入賞装置３７に向けて遊技球３４を発射し、遊技球３４を特別可変入賞装置３７に入賞させる特典遊技を行うことが可能となる。特典遊技のとき、特別可変入賞装置３７に向けて遊技球３４を発射するために、遊技者は発射レバー２１の大きく回動させる強打ち、いわゆる右打ちを行う。このようにして発射された遊技球３４が遊技領域２２の右側の領域で落下し、特別可変入賞装置３７の扉４０が開いている状態で、特別可変入賞装置３７に入賞することによって、遊技者は、通常の遊技では得ることが出来ない利益（賞球）を得ることが可能となる。
【００２２】
このように特典遊技のとき、遊技者が右打ちをするために発射レバー２１を大きく回動させ、その角変位量が所定の大きさに達すると、外レール２３によって案内された遊技球３４が、球止めゴム１１の反射層３３、具体的には反射面３２に衝突する。衝突する遊技球３４は、反射層３３を変形させる。その後反射層３３は、弾発力を遊技球３４に付与し、遊技球３４を跳ね返す。反射層３３から遊技球３４に付与される弾発力の大きさおよび遊技球３４が反射される方向は、反射層３３の変形量に応じて変化する。また、球止めゴム１１は、反射層３３の反射面３２の裏側に金属板２９が配設されている。これによって反射層３３の変形が抑制され、遊技球３４に付与する弾発力、つまり反発力が抑制されている。また遊技球３４は、発射時に与えられる衝撃エネルギーによって、反射層３３に衝突する位置が異なる。反射層３３は、金属板２９が、その一表面と反射面３２とが平行になるように埋設されているので、反射層３３の厚みが均一に形成されている。反射層３３は、厚みが均一で、かつ裏側に剛性の高い金属板２９が設けられるので、反射層３３の反発弾性が一様に形成される。これによって遊技球３４が衝突するときの反射層３３の変形量が、遊技球３４が反射層３３に衝突する位置（以下、「衝突位置」という）に依存することを抑制できる。これによって球止めゴム１１は、反射層３３が遊技球３４に付与する弾発力および反射する方向が、遊技球３４の衝突位置に依存することを抑制できる。これによって球止めゴム１１には、反射層３３に衝突する遊技球３４の位置に寄らず、遊技球３４を安定して反射させることができる。このようにして反射される遊技球３４は、球止めゴム１１の近傍に配設される遊技釘３８に衝突して下方に落下せしめられ、前述のように扉４０が開いている場合、特別可変入賞装置３７に入賞させることができる。
【００２３】
このような構成を有する球止めゴム１１が奏する効果について、以下に説明する。本実施の形態の球止めゴム１１によれば、反射層３３が反射面３２に垂直な方向の厚みが均一に形成され、反射面３２と反対側の表面に対向するように、反射層３３より剛性の高い金属板２９が設けられている。そのため、遊技球３４が反射面３２に衝突することに起因する反射層３３の変形は、金属板２９によって抑制される。これに加えて、反射層３３はその厚みが均一であるので、反射層３３の反発弾性は一様になる。したがって遊技球３４に付勢される反発力は、遊技球３４の衝突する位置に依存しない。これによって遊技球３４が反射層３３に衝突する位置に応じて、遊技球３４の反射する方向が異なることを抑制でき、球止めゴム１１の形状に起因する遊技球３４の反射方向のばらつきを抑制することができる。これによって反射層３３のどの位置に遊技球３４が衝突しても、遊技球３４を安定して反射させることができる。このように反射層３３は安定して遊技球３４を反射させることができるので、遊技者は、反射層３３によって反射された遊技球３４の軌道を予想しやすくなり、反射のばらつきに基づく遊技球３４の発射軌道の微調整を繰返すことを少なくすることができる。
【００２４】
また球止めゴム１１は、反射層３３が均一な厚みの層によって形成され、反射面３２と反対側の表面に金属板２９が設けられているので、反射層３３の反発弾性は、従来の技術の球止め部材より小さい、つまり反発力が小さい。したがって遊技球３４を減勢する割合が従来の技術の球止めゴム３より大きく、球止めゴム１１によって跳ね返された遊技球３４が遊技釘３８に与える衝撃は、従来の技術の球止めゴム３より小さく、遊技釘３８の損傷が抑制される。
【００２５】
本実施の形態の球止めゴム１１によれば、軸状の固定部材２６が挿通される固定穴部３０および位置決め部材２７が嵌合される位置決め穴部３１を有し、固定穴部３０および位置決め穴部３１より反射層３３側に金属板２９が配設されている。遊技球３４が反射層３３に衝突し減勢するとき、遊技球３４から反射層３３に衝撃力が加わる。金属板２９は、この遊技球３４から受ける衝撃力が固定穴部３０に挿通されている固定部材２６および位置決め穴部３１に嵌合されている位置決め部材２７に伝達されることを阻止する。これによって遊技球３４が反射層３３に衝突することに起因する固定部材２６および位置決め部材２７の損傷を抑制できる。またゴムによって球止めゴム本体２８を形成することによって、遊技球３４から衝撃を受けて変位しても、固定穴部３０および位置決め穴部３１が弾性変形し、固定部材２６および位置決め部材２７の損傷を抑制する。
【００２６】
本実施の形態では、金属板２９を衝突範囲に沿って設けられているけれども、必ずしもこのように埋設する必要はない。たとえば反射層３３の各端部では、反射方向にばらつきが残余部分より大きいので、反射層３３の形成領域を衝突範囲より少し大きくする、すなわち衝突範囲より長尺な金属板２９を埋設することによって、反射層３３の各端部に遊技球３４が当たることを避けることによって、反射方向のばらつきをさらに抑制できる。また衝突範囲の一部分だけにわたって金属板２９を設けてもよい。さらに金属板２９の幅については、金属板２９の幅が球止めゴム本体２８の厚みに形成されているものに限定されない。たとえば、金属板２９の幅方向一端部または他端部が遊技盤１５の表面から遊技球３４の半径Ｒ１離反する基準位置に位置するように、もしくは、金属板２９の幅方向一端部または他端部が基準位置をまたぐように配設してもよい。より好ましくは、たとえば金属板２９の遊技盤１５側の幅方向一端部が、基準位置に対して、球止めゴム本体２８の遊技盤１５側の厚み方向一方側に配置され、幅方向他端部が基準位置に対して球止めゴム本体２８の厚み方向他方側に配設されていればよい。これによって金属板２９の幅方向一端部または他端部が、基準位置に位置する場合に比べて、遊技球３４の衝突に伴う反射層３４の変形をさらに抑制することができる。
【００２７】
また本実施の形態では、金属板２９は、扁平状に形成されているけれども、必ずしもこのような形状に限定されない。たとえば埋設された状態で、球止め本体２８の厚み方向に垂直な仮想平面で切断して見た断面が三角形状であってもよい。その反射面３２と反対側の表面に対向する一表面が平坦な形状であればよい。衝撃遮断部として金属板２９を用いているけれども、金属板２９に代えて、球止めゴム本体２８より剛性の高い合成樹脂から成る樹脂板を用いてもよい。樹脂板を用いても、同様の効果を得ることができる。
【００２８】
図５は、実施の第２の形態の球止め体５０を示す正面図である。実施の第２の形態の球止め体５０は、実施の第１の形態の球止めゴム１１と同様に、外レール２３によって案内される遊技球３４を減勢するためにパチンコ機１０に設けられている。球止め体５０もまた、円弧とＶ字とを組合わせてなる涙滴形状に形成されている。球止め体５０は、球止め本体５１と、反射部材５２とを有する。衝撃遮断部である球止め本体５１は、合成ゴムより剛性が高い材料、たとえば金属または合成樹脂から成り、円弧とＶ字とを組合わせてなる涙滴形状に形成されている。球止め本体５１には、球止めゴム１１と同様に、円弧の中心軸まわりに固定穴部３０が形成され、さらに固定穴部３０から球止め本体５１のＶ字の頂線５１ａ寄りに位置決め穴部３１が形成されている。球止め本体５１には、その外周面部に反射部材５２が外嵌されている。反射部材５２は、無端環状に形成され、その周方向の厚みが均一に形成されている。反射部材５２は、たとえばその厚みが２ｍｍに形成されている。このような反射部材５２を球止め本体５１の外周部に外嵌することによって、涙滴形状の球止め体５０が形成される。このように形成される涙滴形状の球止め体５０は、Ｖ字の頂線５０ａから延びるＶ字の頂線５０ａから円弧に向かって直線状に延びる２つの側面のうち一方の側面が反射面５３となる。また反射部材５２のうち反射面５３を形成する部分が、すなわち遊技球３４の衝突範囲が反射層５４に相当する。換言すると、反射部材５２のうち球止め本体５１のＶ字の頂線５１ａから円弧に向かって直線状に延びる２つの側面部のうち一方の側面部に設けられている部分が、ゴム層である反射層５４に相当する。反射層５４は、反射部材５２が均一な厚みに形成されているので、その厚みが均一に形成されている。このような構成を有する球止め体５０も、反射面５３を遊技領域２２に臨むようにカバー体１３に配設され、さらに球止め本体５１がカバー体１３から外方に露出しないように配設される。このようにして形成される球止め体５０は、球止めゴム１１と同様の作用効果を奏する。
【００２９】
図６は、実施の第３の形態の球止め体５０Ａを示す正面図である。第３の実施の形態の球止め体５０Ａは、実施の第１の形態の球止めゴム１１と同様に、外レール２３によって案内される遊技球３４を減勢するためにパチンコ機１０に設けられている。球止め体５０Ａもまた、円弧とＶ字とを組合わせてなる涙滴形状に形成されている。球止め体５０Ａは、球止め本体５１Ａと、反射部材５２Ａとを有する。球止め本体５１Ａは、合成ゴムより剛性が高い材料、たとえば金属または合成樹脂から成り、円弧とＶ字とを組合わせてなる涙滴形状に形成されている。球止め本体５１Ａには、球止めゴム１１と同様に、円弧の中心軸まわりに固定穴部３０が形成され、さらに固定穴部３０から球止め本体５１ＡのＶ字の頂線５１ａ寄りに位置決め穴部３１が形成されている。さらに球止め本体５１Ａは、Ｖ字の頂線５１ａから円弧に向かって直線状に延びる２つの側面部のうち一方の側面部に、円弧の軸線に平行な方向に嵌合溝部５６が形成されている。この嵌合溝部５６には、反射部材５２Ａが嵌合されて固定されている。反射部材５２Ａは、扁平状に形成され、その厚みが均一に形成されている。反射部材５２Ａは、嵌合溝部５６に嵌合されている状態で、その一側面が球止め本体５１Ａの側面と面一になるように形成されている。このように嵌合溝部５６に嵌合される反射部材５２Ａによって、遊技球３４を反射するための反射層５４Ａが形成される。反射部材５２Ａは、その厚みが均一であるので、反射層５４Ａが均一に形成される。反射層５４Ａは、衝突範囲と同一または衝突範囲より長尺に形成されている。これによって実施の第２の形態の球止め体５０と同様の効果を奏する。
【図面の簡単な説明】
【００３０】
【図１】パチンコ機１０を示す正面図である。
【図２】パチンコ機１０に設けられる本発明の実施の第１の形態である球止めゴム１１を図１に示す領域Ｘの範囲で拡大して示す拡大正面図である。
【図３】球止めゴム１１およびカバー体１３を示す拡大斜視図である。
【図４】球止めゴム１１を示す正面図である。
【図５】実施の第２の形態の球止め体５０を示す正面図である。
【図６】実施の第３の形態の球止め体５０Ａを示す正面図である。
【図７】パチンコ機１に設けられる従来の第２の技術の球止めゴム３を拡大して示す拡大正面図である。
【符号の説明】
【００３１】
１１  球止めゴム、  ２９  金属板、  ３０  固定穴部、  ３１  位置決め穴部、  ３３  反射層、  ５０  球止め体、  ５４  反射層
【図１】
2007312858.tif 000003
【図２】
2007312858.tif 000004
【図３】
2007312858.tif 000005
【図４】
2007312858.tif 000006
【図５】
2007312858.tif 000007
【図６】
2007312858.tif 000008
【図７】
2007312858.tif 000009